(57)【要約】【課題】固体電解質型燃料電池を用い、固体電解質型燃料電池の高効率な特性を十分に生かしながら、全体として高効率な発電を行うことが可能な燃料電池複合発電システムを提供する。【解決手段】第１燃料電池１と第１水分回収装置２と第２燃料電池４とを具備する燃料電池複合発電システムを用いる。第１燃料電池１は、第１燃料ガスと酸化剤ガスとを供給され、電力を発生する。第１水分回収装置２は、第１燃料電池１から排出される排第１燃料ガスに含まれる第１水分を回収する。第２燃料電池４は、第１水分を回収されたその排第１燃料ガスを含む第２燃料ガスと酸化剤ガスとを供給され、電力を発生する。第１水分を回収されたその排第１燃料ガスは、第１水分回収装置２が第１水分を回収する際に発生する第１熱量を用いて昇温され、第２燃料電池４へ供給される。【選択図】      図１
2004199979.tif 000002
【特許請求の範囲】
【請求項１】
第１燃料ガスと酸化剤ガスとを供給され、電力を発生する第１燃料電池と、
前記第１燃料電池から排出される排第１燃料ガスに含まれる第１水分を回収する第１水分回収装置と、
前記第１水分を回収された前記排第１燃料ガスを含む第２燃料ガスと酸化剤ガスとを供給され、電力を発生する第２燃料電池と、
を具備する、
燃料電池複合発電システム。
【請求項２】
請求項１に記載の燃料電池複合発電システムにおいて、
前記第１燃料電池及び前記第２燃料電池は、固体電解質型燃料電池である、
燃料電池複合発電システム。
【請求項３】
請求項１又は２に記載の燃料電池複合発電システムにおいて、
前記第１水分を回収された前記排第１燃料ガスは、前記第１水分回収装置が前記第１水分を回収する際に発生する第１熱量を用いて昇温され、前記第２燃料電池へ供給される、
燃料電池複合発電システム。
【請求項４】
請求項１乃至３のいずれか一項に記載の燃料電池複合発電システムにおいて、
前記第１水分回収装置は、前記排第１燃料ガスに含まれる第１二酸化炭素を回収する炭酸ガス吸収部を含み、
前記第２燃料電池は、前記第１水分と共に前記第１二酸化炭素を回収された前記排第１燃料ガスを含む前記第２燃料ガスと酸化剤ガスとを供給され、電力を発生する
燃料電池複合発電システム。
【請求項５】
請求項１乃至４のいずれか一項に記載の燃料電池複合発電システムにおいて、
前記第２燃料電池から排出される排第２燃料ガスに含まれる第２水分を回収する第２水分回収装置と、
前記第２水分を回収された前記排第２燃料ガスを含む第３燃料ガスと酸化剤ガスとを供給され、電力を発生する第３燃料電池と、
を更に具備し、
前記第２水分を回収された前記排第２燃料ガスは、前記第２水分回収装置が前記第２水分を回収する際に発生する第２熱量を用いて昇温され、前記第３燃料電池へ供給される、
燃料電池複合発電システム。
【請求項６】
請求項１乃至５のいずれか一項に記載の燃料電池複合発電システムにおいて、
最終段の燃料電池から排出される排燃料ガスを用いて運転される排熱回収ボイラと、
前記排熱回収ボイラで発生する蒸気を用いて運転される蒸気タービンと、
前記蒸気タービンに接続され、前記蒸気タービンの回転に基づいて発電を行う発電機と、
を更に具備する、
燃料電池複合発電システム。
【請求項７】
請求項１乃至５のいずれか一項に記載の燃料電池複合発電システムにおいて、
最終段の燃料電池から排出される排燃料ガスに含まれる水分と二酸化炭素を回収する水分回収装置を更に具備する、
燃料電池複合発電システム。
【請求項８】
請求項７に記載の燃料電池複合発電システムにおいて、
前記二酸化炭素を回収された前記排燃料ガスを用いて運転される膨張タービンと、
前記膨張タービンに接続され、前記膨張タービンの回転に基づいて発電を行う発電機と、
更に具備する、
燃料電池複合発電システム。
【発明の詳細な説明】
【０００１】
【発明の属する技術分野】
本発明は、燃料電池複合発電システムに関し、特に、排燃料ガス中の水分を取り除いて排燃料ガスの再利用を行う燃料電池複合発電システムに関する。
【０００２】
【従来の技術】
ガスタービンと固体電解質型燃料電池（以下、「ＳＯＦＣ」ともいう）とを組み合わせた複合発電システムが知られている。この複合発電システムは、まず、前段のＳＯＦＣに燃料ガスと空気ガスとを供給し、発電を行う。次に、ＳＯＦＣから排出される出口燃料ガス（排燃料ガス）と出口空気ガスとを混合し、燃焼器で燃焼させて、後段のガスタービンに投入する。そして、ガスタービンに結合した発電機で発電を行う。その後、ガスタービンから排出される排ガスのエネルギーを、排熱回収システムで回収する。
【０００３】
上記の複合発電システムにおいて、ガスタービンの効率は、ＳＯＦＣの効率に比較して低い。従って、極力多くの燃料をＳＯＦＣで消費することが望ましい。その一方で、ＳＯＦＣは、燃料利用率を最大８０％まで上げることが出来るが、ガスタービンの燃焼器で安定的に燃焼させる必要があるため、燃料利用率を最大で６０％までしか上げることが出来ない。
【０００４】
単機のＳＯＦＣとの組み合わせにより、高効率となる発電システムが求められている。ＳＯＦＣの高効率な特性を十分に生かすことが可能な発電システムが求められている。
【０００５】
関連する技術として、特開平６−２２３８５１号公報は、燃料電池とガスタービンとの複合発電システムの技術が公開されている。この技術の燃料電池とガスタービンとの複合発電システムは、加圧式燃料電池と、ガスタービンと、発電機とから構成したことを特徴とする。ここで、加圧式燃料電池は、燃料改質器からの改質燃料ガス、および電動機で駆動される空気圧縮機からの加圧空気を反応ガスとして発電する。ガスタービンは、燃料改質器からの燃焼排ガス、および補助バーナに加えた追加燃料と燃料電池からの排空気を燃焼して得た燃焼ガスを作動流体として動力を得る。発電機は、ガスタービンの軸出力で駆動される。
この技術の目的は、加圧式燃料電池と組み合わせたガスタービンに僅かな補機を追加装備し、かつガスタービンに対して追加燃料を加えることでタービン出力を大幅に増加させ、その動力増加分を電力として回収するようにした熱効率の高い燃料電池とガスタービンとの複合発電システムを提供することである。
【０００６】
【特許文献】
特開平６−２２３８５１号公報
【０００７】
【発明が解決しようとする課題】
従って、本発明の目的は、固体電解質型燃料電池を用い、全体として高効率な発電が可能な燃料電池複合発電システムを提供することである。
【０００８】
また、本発明の他の目的は、固体電解質型燃料電池の高効率な特性を十分に生かすことが可能な燃料電池複合発電システムを提供することである。
【０００９】
本発明の更に他の目的は、固体電解質型燃料電池で使用した排燃料ガスを再利用しやすくする燃料電池複合発電システムを提供することである。
【００１０】
本発明の別の目的は、環境への負荷を低減することが可能な燃料電池複合発電システムを提供することである。
【００１１】
【課題を解決するための手段】
以下に、［発明の実施の形態]で使用される番号・符号を用いて、課題を解決するための手段を説明する。これらの番号・符号は、［特許請求の範囲］の記載と［発明の実施の形態］との対応関係を明らかにするために括弧付で付加されたものである。ただし、それらの番号・符号を、［特許請求の範囲］に記載されている発明の技術的範囲の解釈に用いてはならない。
【００１２】
従って、上記課題を解決するために、本発明の燃料電池複合発電システムは、第１燃料電池（１）と、第１水分回収装置（２）と、第２燃料電池（４）とを具備する。
第１燃料電池（１）は、第１燃料ガスと酸化剤ガスとを供給され、電力を発生する。第１水分回収装置（２）は、第１燃料電池（１）から排出される排第１燃料ガスに含まれる第１水分を回収する。第２燃料電池（４）は、その第１水分を回収されたその排第１燃料ガスを含む第２燃料ガスと酸化剤ガスとを供給され、電力を発生する。
【００１３】
上記の燃料電池複合発電システムにおいて、第１燃料電池（１）及び第２燃料電池（４）は、固体電解質型燃料電池である。
【００１４】
上記の燃料電池複合発電システムにおいて、その第１水分を回収されたその排第１燃料ガスは、第１水分回収装置（２）がその第１水分を回収する際に発生する第１熱量を用いて昇温される。そして、第２燃料電池（４）へ供給される。
【００１５】
上記の燃料電池複合発電システムにおいて、第１水分回収装置（２）は、その排第１燃料ガスに含まれる第１二酸化炭素を回収する炭酸ガス吸収部（２−２）を含む。そして、第２燃料電池（４）は、その第１水分と共にその第１二酸化炭素を回収されたその排第１燃料ガスを含むその第２燃料ガスと酸化剤ガスとを供給され、電力を発生する。
【００１６】
上記の燃料電池複合発電システムにおいては、第２水分回収装置（５）と、第３燃料電池（７）とを更に具備する。
第２水分回収装置（５）は、第２燃料電池（４）から排出される排第２燃料ガスに含まれる第２水分を回収する。第３燃料電池（７）は、その第２水分を回収されたその排第２燃料ガスを含む第３燃料ガスと酸化剤ガスとを供給され、電力を発生する。
そして、その第２水分を回収されたその排第２燃料ガスは、第２水分回収装置（５）がその第２水分を回収する際に発生する第２熱量を用いて昇温される。その後、第３燃料電池（７）へ供給される。
【００１７】
上記の燃料電池複合発電システムにおいては、排熱回収ボイラ（１２）と、蒸気タービン（２５）と、発電機（２６）とを更に具備する。
排熱回収ボイラ（１２）は、最終段の燃料電池（４、７）から排出される排燃料ガスを用いて運転される。蒸気タービン（２５）は、排熱回収ボイラ（１２）で発生する蒸気を用いて運転される。発電機（２６）は、蒸気タービン（２５）に接続され、蒸気タービン（２５）の回転に基づいて発電を行う。
【００１８】
上記の燃料電池複合発電システムにおいては、最終段の燃料電池（４，７）から排出される排燃料ガスに含まれる水分と二酸化炭素を回収する水分回収装置（１２＋１５ｂ）を更に具備する。
【００１９】
上記の燃料電池複合発電システムにおいては、膨張タービン（図示されず）と、発電機（図示されず）とを更に具備する。
膨張タービン（図示されず）は、その二酸化炭素を回収されたその排燃料ガスを用いて運転される。発電機（図示されず）は、膨張タービン（図示されず）に接続され、膨張タービン（図示されず）の回転に基づいて発電を行う。
【００２０】
【発明の実施の形態】
以下、本発明である燃料電池複合発電システムの実施の形態に関して、添付図面を参照して説明する。
本実施の形態では、固体電解質型燃料電池（以下、「ＳＯＦＣ」ともいう）を例に示して説明を行うが、他のタイプの燃料電池に対しても適用することが出来る。
【００２１】
まず、本発明である燃料電池複合発電システムの実施の形態における構成について説明する。
図１は、本発明である燃料電池複合発電システムの実施の形態における構成を示す図である。燃料電池複合発電システムは、第１固体電解質型燃料電池（第１ＳＯＦＣ）１、第１水分回収装置２、第２ＳＯＦＣ４、第２水分回収装置５、第３ＳＯＦＣ７、及びそれらに関わる燃料ガス配管８−１〜８−６を備える燃料電池システム１０を具備する。本図では、酸化剤ガス配管及び電気に関わる配線は省略している。
【００２２】
第１ＳＯＦＣ１、第２ＳＯＦＣ４及び第３ＳＯＦＣ７は、固体電解質型の燃料電池である。燃料ガスとして、メタンガス（天然ガス）又はプロパンガスを用い、酸化剤ガスとして空気を用いる。その燃料電池は、安定化ジルコニアを電解質とする内部改質型の円筒型の燃料電池に例示される。
【００２３】
第１ＳＯＦＣ１は、燃料ガス配管８−１から燃料ガス（以下、「第１燃料ガス」ともいう）を、酸化剤ガス配管（図示されず）から酸化剤ガスをそれぞれ供給され、電力を発生する。そして、燃料ガス配管８−２へ第１燃料ガスの未使用分及び生成水を含む排燃料ガス（以下、「排第１燃料ガス」ともいう）を、酸化剤ガス配管（図示されず）から排酸化剤ガスとをそれぞれ排出する。
【００２４】
第２ＳＯＦＣ４は、燃料ガス配管８−３から、第１水分回収装置２で処理（後述）された排第１燃料ガスを含む燃料ガス（以下、「第２燃料ガス」ともいう）を、酸化剤ガス配管（図示されず）から酸化剤ガスをそれぞれ供給され、電力を発生する。そして、第２燃料ガスの未使用分及び生成水を含む排燃料ガス（以下、「排第２燃料ガス」ともいう）と、排酸化剤ガスとをそれぞれ排出する。
なお、第２燃料ガスは、燃料ガス配管８−９を介して、適切な量の水蒸気が添加される。
【００２５】
第３ＳＯＦＣ７は、燃料ガス配管８−５から、第２水分回収装置５で処理（後述）された排第２燃料ガスを含む燃料ガス（以下、「第３燃料ガス」ともいう）を、酸化剤ガス配管（図示されず）から酸化剤ガスをそれぞれ供給され、電力を発生する。そして、第３燃料ガスの未使用分及び生成水を含む排燃料ガス（以下、「排第３燃料ガス」ともいう）と、排酸化剤ガスとをそれぞれ排出する。
なお、第３燃料ガスは、燃料ガス配管８−９を介して、適切な量の水蒸気が添加される。
【００２６】
第１水分回収装置２は、第１ＳＯＦＣ１から燃料ガス配管８−２を介して排出される排第１燃料ガスに含まれる水分（以下、「第１水分」ともいう）を回収する。熱交換器２−１及び貯水部２−２を備える。熱交換器２−１は、燃料ガス配管８−２を介して高温側に供給される排第１燃料ガスと、低温側の貯水部２−２から供給される第１水分を回収された排第１燃料ガスとを熱交換させる。そして、高温側の排第１燃料ガス中に含まれる第１水分を凝縮し、凝縮された第１水分と、第１水分を回収された排第１燃料ガスとを貯水部２−２へ排出する。同時に、低温側の第１水分を回収された排第１燃料ガスを燃料ガス配管８−３へ送出する。貯水部２−２は、凝縮された第１水分を貯蔵し、第１水分を回収された排第１燃料ガスを熱交換器２−１の低温側へ送出する。
【００２７】
第２水分回収装置５は、第２ＳＯＦＣ４から燃料ガス配管８−４を介して排出される排第２燃料ガスに含まれる水分（以下、「第２水分」ともいう）を回収する。熱交換器５−１及び貯水部５−２を備える。熱交換器５−１は、燃料ガス配管８−４を介して高温側に供給される排第２燃料ガスと、低温側の貯水部５−２から供給される第２水分を回収された排第２燃料ガスとを熱交換させる。そして、高温側の排第２燃料ガス中に含まれる第２水分を凝縮し、凝縮された第２水分と、第２水分を回収された排第２燃料ガスとを貯水部５−２へ排出する。同時に、低温側の第２水分を回収された排第２燃料ガスを燃料ガス配管８−５へ送出する。貯水部５−２は、凝縮された第２水分を貯蔵し、第２水分を回収された排第２燃料ガスを熱交換器５−１の低温側へ送出する。
【００２８】
次に、本発明である燃料電池複合発電システムの実施の形態における動作について説明する。
図２は、本発明である燃料電池複合発電システムの実施の形態における各部（図１中の▲１▼〜▲６▼）及び各ＳＯＦＣでの燃料ガスの組成及び発電について示す表である。
項目欄３０は、表における項目を示している。「燃料流量」は、第１ＳＯＦＣ１に供給される燃料流量を１００として、各部での燃料ガスの流量を示す。「エネルギ」は、第１ＳＯＦＣ１に供給される燃料のエネルギを１２８として、各部及び各ＳＯＦＣにおけるメタン（図中及び以下、「ＣＨ４」とも表記）のエネルギを示す。「組成」は、各ＳＯＦＣにおける反応を、メタン（ＣＨ４）が燃焼して二酸化炭素（図中及び以下、「ＣＯ２」とも表記）と水（図中及び以下、「Ｈ２Ｏ」とも表記）となる燃焼反応に近似して、各部における組成を示す。「電圧」は、各ＳＯＦＣにおける発電時の電圧（Ｖ）を示す。「出力」は、最初に供給されたメタン（ＣＨ４）を基準とした各ＳＯＦＣにおける発電効率（％）を示す。「ＣＨ４濃度」は、各部におけるガス中のメタン（ＣＨ４）の濃度である。「対象」は、図１との対応を示す。例えば、「対象」が「▲１▼」であれば、図１の▲１▼の部分を示し、「対象」が「１ｓｔＳＯＦＣ１」であれば、図１の１ｓｔＳＯＦＣ（第１ＳＯＦＣ）１を示す。
データ欄３１−１は、第１ＳＯＦＣ１に関わるデータ、データ欄３１−２は、第２ＳＯＦＣ４に関わるデータ、データ欄３１−４は、第３ＳＯＦＣ７に関わるデータを示す。
【００２９】
次に、図１と図２とを参照して、動作について説明する。
図１において、第１燃料ガスは、燃料ガス配管８−１を介して、第１ＳＯＦＣ１へ供給される。このとき、図２のデータ欄３１−１の▲１▼に示すように、燃料流量は１００、エネルギは１００、組成は、メタン１００、ＣＨ４濃度は１００％である。
【００３０】
図１において、第１ＳＯＦＣ１は、第１燃料ガスと酸化剤ガスとを供給され、電力を発生する。このとき、第１ＳＯＦＣ１においては、図２のデータ欄３１−１の１ｓｔＳＯＦＣ１に示すように、エネルギ１２８（内部改質により１００から１２８に上昇）を供給され、電圧０．７Ｖで、出力４８．８の発電を行う。このときの運転は、後段にガスタービンが無いため、燃料利用率８０％で行うことが出来る。
【００３１】
図１において、排第１燃料ガスは第１ＳＯＦＣ１から燃料ガス配管８−２へ、排酸化剤ガスは酸化剤ガス配管（図示されず）へそれぞれ排出される。このとき、図２のデータ欄３１−１の▲２▼に示すように、燃料流量は２０（燃料利用率８０％のため）、エネルギは２５．６、組成は、メタン２０、二酸化炭素８０、水（水蒸気）１６０、ＣＨ４濃度は８％である。実際はＣＨ４、ＣＯ、ＣＯ２、Ｈ２Ｏの混合組成となるが、簡単にするためＣＨ４、ＣＯ２、Ｈ２Ｏのみで表記している（図５、図７において同様）。
【００３２】
図１において、排第１燃料ガスは、燃料ガス配管８−２を介して第１水分回収装置２へ供給される。そして、熱交換器２−１の高温側において、熱交換を行って降温され、含まれる第１水分を凝縮される。凝縮された第１水分と、第１水分を凝縮された排第１燃料ガスとは、貯水部２−２へ排出される。
【００３３】
凝縮された第１水分は、貯水部２−２で貯蔵される。また、第１水分を回収された排第１燃料ガスは、熱交換器２−１の低温側へ送出される。そして、そこで熱交換を行って昇温された後、燃料ガス配管８−３へ送出される。
【００３４】
第１水分回収装置２で処理された排第１燃料ガスは、燃料ガス配管８−３を介して、第２燃料ガスとして第２ＳＯＦＣ４へ供給される。その際、必要に応じて、水蒸気を供給される。このとき、図２のデータ欄３１−２の▲３▼に示すように、燃料流量は２０（▲２▼と変わらず）、エネルギは２５．６（▲２▼と変わらず）、組成は、メタン２０（▲２▼と変わらず）、二酸化炭素８０（▲２▼と変わらず）、水（水蒸気）５（▲２▼から大幅に減少：１／３２）、ＣＨ４濃度は１９％（▲２▼から大幅に増加：２．４倍）である。
すなわち、水蒸気を大幅に減少させて、燃料の発熱量を大幅に回復することが出来る。また、供給する燃料ガス中に不要な成分を含まなくなるので、ＳＯＦＣの燃料極におけるガス拡散の特性を向上させることが出来る。
【００３５】
図１において、第２ＳＯＦＣ４は、第２燃料ガスと酸化剤ガスとを供給され、電力を発生する。このとき、第２ＳＯＦＣ４においては、図２のデータ欄３１−２の２ｎｄＳＯＦＣ４に示すように、エネルギ２５．６を供給され、電圧０．７Ｖで、出力６．１の発電を行う。
【００３６】
図１において、排第２燃料ガスは第２ＳＯＦＣ４から燃料ガス配管８−４へ、排酸化剤ガスは酸化剤ガス配管（図示されず）へそれぞれ排出される。このとき、図２のデータ欄３１−２の▲４▼に示すように、燃料流量は１０、エネルギは１２．８、組成は、メタン１０、二酸化炭素９０、水（水蒸気）２５、ＣＨ４濃度は８％である。
【００３７】
図１において、排第２燃料ガスは、燃料ガス配管８−４を介して第２水分回収装置５へ供給される。そして、熱交換器５−１の高温側において、熱交換を行って降温され、含まれる第２水分を凝縮される。凝縮された第２水分と、第２水分を凝縮された排第２燃料ガスとは、貯水部５−２へ排出される。
【００３８】
凝縮された第２水分は、貯水部５−２で貯蔵される。また、第２水分を回収された排第２燃料ガスは、熱交換器５−１の低温側へ送出される。そして、そこで熱交換を行って昇温された後、燃料ガス配管８−５へ送出される。
【００３９】
第２水分回収装置５で処理された排第２燃料ガスは、燃料ガス配管８−５を介して、第３燃料ガスとして第３ＳＯＦＣ７へ供給される。その際、必要に応じて、水蒸気を供給される。このとき、図２のデータ欄３１−３の▲５▼に示すように、燃料流量は１０（▲４▼と変わらず）、エネルギは１２．８（▲４▼と変わらず）、組成は、メタン１０（▲４▼と変わらず）、二酸化炭素９０（▲４▼と変わらず）、水（水蒸気）５（▲４▼から大幅に減少：１／５）、ＣＨ４濃度は１０％（▲４▼から増加：１．２５倍）である。
すなわち、水蒸気を大幅に減少させて、燃料の発熱量を大幅に回復することが出来る。また、供給する燃料ガス中に不要な成分を含まなくなるので、ＳＯＦＣの燃料極におけるガス拡散の特性を向上させることが出来る。
【００４０】
図１において、第３ＳＯＦＣ７は、第３燃料ガスと酸化剤ガスとを供給され、電力を発生する。このとき、第３ＳＯＦＣ７においては、図２のデータ欄３１−３の３ｒｄＳＯＦＣ７に示すように、エネルギ１２．８を供給され、電圧０．８Ｖで、出力５．６の発電を行う。このときの運転は、後段にガスタービンが無いため、燃料利用率８０％で行うことが出来る。また、出力の割合が、全体の１０％以下であり、機器大型化の必要がないため、高電圧運転で行う。
【００４１】
図１において、排第３燃料ガスは第３ＳＯＦＣ７から燃料ガス配管８−６へ、排酸化剤ガスは酸化剤ガス配管（図示されず）へそれぞれ排出される。このとき、図２のデータ欄３１−３の▲６▼に示すように、燃料流量は２、エネルギは２．６、組成は、メタン２、二酸化炭素９８、水（水蒸気）１１、ＣＨ４濃度は２％である。
【００４２】
上記の排第３燃料ガスは、高温（高圧）であるので、その排熱は、排熱回収システム１４により回収することが出来る。すなわち、本発明の燃料電池複合発電システムは、燃料電池システム１０のほかに、排熱回収システム１４を含んでいる。それを示したのが図３である。
【００４３】
図３は、排熱回収システムの構成を示す図である。排熱回収システム１４は、排熱回収ボイラ１２と、蒸気タービン２５と、発電機２６と、復水器２７と、給水ポンプ２８及びそれらに関わる配管２２−１〜２２−４を備える。そして、燃料ガス配管８−６を介して排第３燃料ガスを供給される。使用済みの排第３燃料ガスは、燃料ガス配管８−１１を介して排ガス処理装置１５で処理され、排出される。
【００４４】
排熱回収ボイラ１２は、燃料ガス配管８−６を介して供給される排第３燃料ガスの熱を用いて、配管２２−４から供給される水を水蒸気へ変換し、配管２２−１を介して蒸気タービン２５へ供給する。蒸気タービン２５は、配管２２−１を介して供給される水蒸気を用いて運転される。使用済みの水蒸気は、配管２２−２を介して復水器２７へ送出される。復水器２７は、水蒸気を水にして、配管２２−３へ送出する。給水ポンプ２８は、水を配管２２−４を介して排熱回収ボイラ１２へ吐出する。
【００４５】
上記の第１ＳＯＦＣ１の出力と第２ＳＯＦＣ４の出力と第３ＳＯＦＣ７の出力との合計から、燃料電池複合発電システムの発電効率は、６０．４％（図２、データ欄３１−４参照）の高効率となる。すなわち、第１ＳＯＦＣ１の後段のボトミングにガスタービンより高効率なＳＯＦＣを用いるので、システム全体の効率を向上させることが可能となる。
【００４６】
また、ほとんどの燃料ガスをＳＯＦＣだけで消費するため、ガスタービンの低カロリー燃焼器が不要となる。更に、ガスタービンを用いないことにより、システムにおける最高温度は、ＳＯＦＣの運転温度以下に抑えることが出来る。それにより、システム全体のコストを低減することが出来る。また、燃焼器を用いないことから、排ガスをクリーンにすることが出来、環境負荷を低減することが出来る。
【００４７】
上記実施の形態において、貯水部２−２又は貯水部５−２において、貯水中に炭酸ガス吸着剤（アミン系）などを投入することにより、各排燃料ガスに含まれる水分（水蒸気）に加えて、二酸化炭素を回収することが出来る。
これにより、水分（水蒸気）及び二酸化炭素の両方を除去したより高濃度の燃料ガスを、後段のＳＯＦＣに供給することが可能となる。そして、効率的なシステム運用が可能となる。
【００４８】
また、上記実施の形態において、図３の排ガス処理装置１５は、貯水部１５ｂと二酸化炭素吸収装置１５ａ（例示：Ｂｅｎｆｉｅｌｄ法を用いたプラント装置）でも良い。その構成を図４に示す。
図４は、本発明である燃料電池複合発電システムの実施の形態における他の構成を示す図である。図４における基本的な構成は図１と同様である。
燃料ガス配管８−６を通る排第３燃料ガスは、排熱回収ボイラ１２で、配管２２−４−配管２２−１を通る水と熱交換をし、第３水と第３水を凝縮された排第３燃料ガスになる。第３水は、燃料ガス配管８−１１経由で貯水部１５ｂに入り、そこで貯蔵される。第３水を凝縮された排第３燃料ガスは、貯水部１５ｂから燃料ガス配管８−７を介して二酸化炭素吸収装置１５ａへ入り、そこで二酸化炭素を吸収されて排出される。
二酸化炭素吸収装置１５ａから排出された排ガスは、ＳＯＦＣが高圧で運転されている場合には、膨張タービンでその圧力を回収する。膨張タービンの回転は、発電機での発電に使用する。
【００４９】
このとき、二酸化炭素吸収装置１５ａは、二酸化炭素を高濃度（約９８％ＤＲＹ）に含む排第３燃料ガスを用いるので、効率よく二酸化炭素を抽出、除去することが可能となる。また、場合によっては冷却により水分を除去することで、プラントの排気はほとんどＣＯ２となりそのまま回収することも可能である。
【００５０】
図２の表で示したＳＯＦＣ運転の出力電圧を、更に高電圧にすることで、発電効率を更に上昇させることが出来る。それを示したのが図５である。
図５は、本発明である燃料電池複合発電システムの他の実施の形態における各部（図１又は図４中の▲１▼〜▲６▼）及び各ＳＯＦＣでの燃料ガスの組成及び発電について示す表である。項目欄３０’は、図２の項目欄３０に対応し、データ欄３１’−１〜３１’−４は、図２のデータ欄３１−１〜３１−４に対応する。
データ欄３１’−１〜３１’−３の「電圧」で示されるように、第１ＳＯＦＣ１、第２ＳＯＦＣ４及び第３ＳＯＦＣ７の電圧を、それぞれ０．７Ｖ（図２）から０．７５Ｖ、０．７Ｖ（図２）から０．７５Ｖ及び０．７５Ｖ（図２）から０．８Ｖへ上げている。それに伴い、データ欄３１’−４の「出力」で示されるように、燃料電池複合発電システムの発電効率は、６４．３％と更に高効率にすることが可能となる。
【００５１】
上記実施の形態において、図１及び図４の構成は、ＳＯＦＣを３段にして組んでいるが、図６に示すように、２段で組むことも可能である。
図６は、本発明である燃料電池複合発電システムの実施の形態における更に他の構成を示す図である。図６は、２段であること以外は、図１と同様である。図６の場合について、運転に関するデータを示したのが図７である。
図７は、本発明である燃料電池複合発電システムの更に他の実施の形態における各部（図６中の▲１▼〜▲４▼）及び各ＳＯＦＣでの燃料ガスの組成及び発電について示す表である。項目欄３０’’は、図２の項目欄３０に対応し、データ欄３１’’−１〜３１’−４は、図２のデータ欄３１−１〜３１−４に対応する。この表において、第１ＳＯＦＣ１及び第２ＳＯＦＣ４の出力電圧をそれぞれ０．７Ｖ及び０．７５Ｖとすることにより、発電効率を５９．２％とすることが出来る。
【００５２】
ＳＯＦＣは、直接変換でありカルノーサイクルに拘束されない熱効率を実現可能である。
本発明により、ＳＯＦＣのみでほぼ全ての燃料を消費することにより、ガスタービンのようなボトミングサイクルが無くても高効率な運転を行うことが可能となる。
【００５３】
【発明の効果】
本発明により、固体電解質型燃料電池を用い、固体電解質型燃料電池の高効率な特性を十分に生かしながら、全体として高効率な発電を行うことが可能となる。
【図面の簡単な説明】
【図１】本発明である燃料電池複合発電システムの実施の形態における構成を示す図である。
【図２】本発明である燃料電池複合発電システムの実施の形態における各部及び各ＳＯＦＣでの燃料ガスの組成及び発電について示す表である。
【図３】排熱回収システムの構成を示す図である。
【図４】本発明である燃料電池複合発電システムの実施の形態における他の構成を示す図である。
【図５】本発明である燃料電池複合発電システムの他の実施の形態における各部及び各ＳＯＦＣでの燃料ガスの組成及び発電について示す表である。
【図６】本発明である燃料電池複合発電システムの実施の形態における更に他の構成を示す図である。
【図７】本発明である燃料電池複合発電システムの更に他の実施の形態における各部及び各ＳＯＦＣでの燃料ガスの組成及び発電について示す表である。
【符号の説明】
１    第１固体電解質型燃料電池（第１ＳＯＦＣ）
２    第１水分回収装置
２−１    熱交換器
２−２    貯水部
４    第２固体電解質型燃料電池（第２ＳＯＦＣ）
５    第２水分回収装置
５−１    熱交換器
５−２    貯水部
７    第３固体電解質型燃料電池（第３ＳＯＦＣ）
８−１〜８−１１    燃料ガス配管
１０    燃料電池システム
１２    排熱回収ボイラ
１４    排熱回収システム
１５    排ガス処理装置
１５ａ    二酸化炭素吸収装置
１５ｂ    貯水部
２２−１〜２２−４    配管
２５    蒸気タービン
２６    発電機
２７    復水器
２８    給水ポンプ
３０（’、’’）    項目欄
３１（’、’’）−１〜３１（’、’’）−４    データ欄
【図１】
2004199979.tif 000003
【図２】
2004199979.tif 000004
【図３】
2004199979.tif 000005
【図４】
2004199979.tif 000006
【図５】
2004199979.tif 000007
【図６】
2004199979.tif 000008
【図７】
2004199979.tif 000009